(57)【要約】【課題】  ヒートポンプより占有面積が少ないペルチェ素子を、ヒータよりエネルギ効率がよい領域で動作させて、デシカントを再生させるのに充分な高温乾燥空気を生成可能なデシカント空調機を提供することを目的とする。【解決手段】本発明のデシカント空調機１００の構成は、常温で吸湿し高温で放湿するデシカント剤１０２ａと、デシカント剤１０２ａを収容するデシカント剤保持部１０２ｂと、デシカント剤保持部１０２ｂに除湿対象の空気を導く吸湿流路１０４と、折り返し部１１４および近接部１１６を含みデシカント剤保持部１０２ｂにデシカント剤１０２ａを再生させる空気を導く再生流路１０６と、近接部１１６において吸熱面が上流側に、放熱面が下流側に接続され、空気の流れ方向に配列された複数のペルチェ素子１１８〜１２２と、吸熱面に吸熱されて凝縮した空気中の水分を排水する排水路１２６と、を有することを特徴とする。【選択図】図１
2012172931.tif 000002
【特許請求の範囲】
【請求項１】
常温で吸湿し、高温で放湿するデシカント剤と、
前記デシカント剤を収容するデシカント剤保持部と、
前記デシカント剤保持部に除湿対象の空気を導く吸湿流路と、
折り返し部と、該折り返し部の上流側と下流側とが近接した近接部とを有し、前記デシカント剤保持部にデシカント剤を再生させる空気を導く再生流路と、
前記再生流路の近接部において、吸熱面が前記再生流路の上流側に接続され、放熱面が前記再生流路の下流側に接続され、空気の流れ方向に配列された複数のペルチェ素子と、
前記再生流路の近接部の上流側の下方に配置され、前記吸熱面に吸熱されて凝縮した空気中の水分を排水する排水路と、
を有することを特徴とするデシカント空調機。
【請求項２】
前記デシカント剤が、ゼオライト系吸着材またはスポンジ状酸化チタンからなる低温再生除湿材であることを特徴とする請求項１に記載のデシカント空調機。
【発明の詳細な説明】
【技術分野】
【０００１】
本発明は、ペルチェ素子を用いてデシカント剤を再生するデシカント空調機に関する。
【背景技術】
【０００２】
近年、除湿機能を備えた空調機が広く普及している。かかる空調機には、空気中の湿分を吸湿するデシカント剤を内蔵したものがある。デシカント剤は、湿分を吸湿するほど、その吸湿能力が低下していく特性を有する。これより、この種の空調機では、適宜、デシカント剤に高温空気を通気してその湿分を放出させることにより、デシカント剤を再生しながら利用している。
【０００３】
デシカント剤の再生には、概して、１００℃以上の高温空気を生成する必要がある。従来、再生用の高温空気を生成するために、空調機内には加熱用のヒータが備えられていた。しかし、ヒータによって加熱された空気は単に屋外に排出されるのみであるから、エネルギ効率が悪いという問題がある。また、原理的にヒータの成績係数（COP:Coefficient of performance）は１であって、それ以上の効率向上を望むことはできない。
【０００４】
再生用の熱を生成するために効率の高いヒートポンプ（成績係数は２〜３程度）を利用することも行われているが、空調のための温度調節と再生のための加熱を同期させることは困難である。そのため、結果的に、空調のためのヒートポンプと、デシカント剤再生のためのヒートポンプを装備することとなり、設備が大型化し、導入コストが高額になるという問題がある。
【０００５】
特許文献１には、全熱交換手段を用いることにより比較的低温な熱源（廃熱）でも再生用加熱手段に利用可能とする技術が開示されている。また、特許文献１には、全熱交換手段に加えて高温空気を生成する再生用加熱手段として、ペルチェ素子を用いてもよいとの記載がなされている（段落００３１）。なお、全熱交換手段の利用は確かにヒータ単体よりもデシカント剤の再生効率を上げることができるが、液体成分を交換することによってこれに溶解している成分も移動するため、排気の臭いが室内に戻ってしまうという問題がある。
【０００６】
ところで、昨今、従来よりも低温で再生可能な低温再生除湿材からなるデシカント剤の開発が進められている。この低温再生除湿材からなるデシカント剤では例えば６０℃前後の高温空気で再生させることができる。故に、高温空気の生成機器も高出力を確保できるヒータに限らず、他の熱源を採用することが可能となる。
【先行技術文献】
【特許文献】
【０００７】
【特許文献１】特開２００９−２７５９５５号公報
【発明の概要】
【発明が解決しようとする課題】
【０００８】
上記特許文献１に記載されているように再生用加熱手段としてペルチェ素子を用いることは、省スペースで済むなどの利点がある。しかしながら、ペルチェ素子は吸熱面と放熱面の温度差が大きくなるほど成績係数が極端に低下するという特性を有している。また、印加される電流に対しては１〜２Ａ程度の位置にピークを有し、それ以上大きくなると顕著に成績係数が低下する。
【０００９】
これより、ペルチェ素子を用いる場合には、吸熱面と放熱面の温度差を抑えなければ、成績係数がかなり低下してしまう。しかし、デシカント剤が低温で再生可能になってきているといっても、空気をデシカント剤の再生に要する６０℃前後まで加熱するとなると、上記温度差を抑えることは容易ではない。印加される電流についても、空気をデシカント剤の再生に要する６０℃前後まで加熱するとなると、小さな電流でまかなうことができず、ペルチェ素子を成績係数のよい領域で稼動させることが難しい。加えて、生成する高温空気が、充分に乾燥していなければ、充分にデシカント剤の湿分を取り除くことができない。
【００１０】
空調用ヒートポンプの廃熱等を利用して、上記の温度差や電流を抑えることも想定されるが、デシカント剤の再生空気を生成する際に空調用ヒートポンプを必ずしも運転しているとは限らない。また、冬期は廃熱利用が厳しい。そのため、空調用ヒートポンプなどの廃熱に頼ることなく、充分な高温乾燥空気を生成可能な技術が望まれている。
【００１１】
本発明は、上記課題に鑑みてなされたものであり、ヒートポンプより占有面積が少ないペルチェ素子を、ヒータよりエネルギ効率がよい領域で動作させて、デシカントを再生させるのに充分な高温乾燥空気を生成可能なデシカント空調機を提供することを目的とする。
【課題を解決するための手段】
【００１２】
上記課題を解決するために本発明にかかるデシカント空調機の代表的な構成は、常温で吸湿し高温で放湿するデシカント剤と、デシカント剤を収容するデシカント剤保持部と、デシカント剤保持部に除湿対象の空気を導く吸湿流路と、折り返し部とこの折り返し部の上流側と下流側とが近接した近接部とを有しデシカント剤保持部にデシカント剤を再生させる空気を導く再生流路と、再生流路の近接部において吸熱面が再生流路の上流側に接続され放熱面が再生流路の下流側に接続され空気の流れ方向に配列された複数のペルチェ素子と、再生流路の近接部の上流側の下方に配置され吸熱面に吸熱されて凝縮した空気中の水分を排水する排水路と、を有することを特徴とする。
【００１３】
かかる構成によれば、再生流路に流入した空気は、まず近接部上流側の複数のペルチェ素子によって段階的に冷却され、この空気中に含まれる水分が結露する。そして、冷却され水分が低減した空気は、折り返し部を折り返して、近接部下流側の複数のペルチェ素子によって段階的に加熱される。すると、近接部の入口と出口の温度差は大きいものの、空気の流れ方向に複数配列されたペルチェ素子では、折り返し部に近いものほど段階的に温度差が小さくなる。したがって、成績係数は、複数のペルチェ素子を全体的に評価すれば、単一のペルチェ素子を用いた場合よりも飛躍的に向上させることができる。個々のペルチェ素子が移動させる熱の負担を軽減することができるので、電流も抑えることができ、エネルギ効率の高い領域に収めることができる。
【００１４】
また、冷却時の冷熱は結露のための潜熱（凝縮熱）に奪われる（換言すれば、潜熱が放出される）のに対し、加熱時の温熱は全て顕熱に変わるため、再生流路の出口の温度は入口の温度よりも飛躍的に高くなる。さらに、放熱面には、ペルチェ効果によって吸熱面から移動した熱に加え、電流消費によるジュール熱が加わる。これより、デシカントを再生させるのに充分な高温乾燥空気を生成することができる。これらのことから、ヒートポンプより占有面積が少ないペルチェ素子によって、ヒータよりエネルギ効率がよく、デシカントを再生させるのに充分な高温乾燥空気を生成することができる。
【００１５】
上記デシカント剤が、ゼオライト系吸着材またはスポンジ状酸化チタンからなる低温再生除湿材であるとよい。低温再生除湿材からなるデシカントは、概して６０℃前後の高温乾燥空気で再生させることができる。６０℃程度の高温乾燥空気は、上記複数のペルチェ素子によって確実に作り出すことができるため、好適である。
【発明の効果】
【００１６】
本発明によれば、ヒートポンプより占有面積が少ないペルチェ素子を、ヒータよりエネルギ効率がよい領域で動作させて、デシカントを再生させるのに充分な高温乾燥空気を生成可能なデシカント空調機を提供することができる。
【図面の簡単な説明】
【００１７】
【図１】本発明の実施形態にかかるデシカント空調機の概略構成を示す図である。
【図２】ペルチェ素子について示す図である。
【図３】ペルチェ素子の吸熱面と放熱面の温度差ΔＴ、ペルチェ素子に印加された電流Ｉ、およびペルチェ素子の冷却側の成績係数φ、並びにペルチェ素子の冷却の吸熱量Ｑｃの関係を示す図である。
【図４】ペルチェ素子の吸熱面と放熱面の温度差ΔＴ、ペルチェ素子に印加された電流Ｉ、およびペルチェ素子の加熱側の成績係数φＨの関係を示す図である。
【図５】デシカント空調機の空気線図を例示する図である。
【図６】複数のペルチェ素子の温度状態を例示する図である。
【発明を実施するための形態】
【００１８】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１９】
図１は、本発明の実施形態にかかるデシカント空調機１００の概略構成を示す図である。図１に示すように、デシカント空調機１００は、空気中の湿分を吸湿するデシカントロータ１０２を内蔵している。デシカントロータ１０２は、円盤状のデシカント剤１０２ａと、デシカント剤１０２ａを収容するデシカント剤保持部１０２ｂ（ケーシング）からなる。デシカント剤１０２ａは、ゼオライト系吸着材またはスポンジ状酸化チタンからなる低温再生除湿材であって、常温で吸湿し高温で放湿（再生）する。デシカント剤１０２ａにはその素材ごとに再生に最適な高温の温度域（スイートスポット）が存在し、かかる温度域を超える場合にはその素材の変質を招くおそれがある。デシカント剤保持部１０２ｂは、ホイールや軸受部、軸など（不図示）を含み、デシカント剤１０２ａを周方向Ｒに回転可能に構築される。
【００２０】
ここでは、デシカントロータ１０２は、除湿対象の空気を導く吸湿流路１０４より流入した空気から水分を吸湿し、後述する再生流路１０６によって導かれる高温乾燥空気に対しその湿分を放湿する。吸湿流路１０４の除湿対象の空気と再生流路１０６の高温乾燥空気とは、隔壁１０８によって仕切られている。この隔壁１０８にデシカントロータ１０２がまたがるように配置されているため、デシカントロータ１０２を周方向Ｒへ回転させることにより連続して（継続的に）デシカント剤１０２ａの吸湿と放湿が行われる。吸湿された空気が建物の室内に給気されることで、室内の除湿が実施される（空調機の除湿運転）。
【００２１】
吸湿流路１０４、再生流路１０６の各々には、それぞれ、除湿対象の空気や高温乾燥空気を導くためのファン１１０、１１２が設けられる。なお、ファン１１０、１１２の配置に関しては、特に限定されるわけではなく吸湿流路１０４や再生流路１０６に対象の空気を導くことができればよい。
【００２２】
再生流路１０６は、その流路が中途で折り返されている（以下、折り返し部１１４と称する）。また、再生流路１０６は、折り返し部１１４の上流側と下流側とが近接した近接部１１６を有する。近接部１１６では、複数のペルチェ素子１１８、１２０、１２２が空気の流れ方向に沿って配列される。折り返し部１１４と近接部１１６とにより、フラスコ状の形状が構築される。なお、本実施形態では複数のペルチェ素子として３つのペルチェ素子１１８〜１２２を図示しているが、本発明はこれに限定されるわけではなく、２つ以上であればよく、４つ以上であってもよい。
【００２３】
上記ペルチェ素子１１８〜１２２は同様の構成を有するため、以下、代表してペルチェ素子１１８について説明する。図２はペルチェ素子１１８について示す図である。
【００２４】
ペルチェ素子１１８は、通常、Ｐ型半導体１１８ａおよびＮ型半導体１１８ｂをセラミック１１８ｃで接合することにより構築される。かかるセラミック１１８ｃに直流電流を印加すると、Ｐ型半導体１１８ａおよびＮ型半導体１１８ｂの導電率の違いから、一方の面（吸熱面）から他方の面（放熱面）へと熱が移動する（ペルチェ効果）。
【００２５】
図２に示すように、Ｐ型半導体１１８ａからＮ型半導体１１８ｂに直流電流を印加した場合には、ヒートシンク１１８ｄ側が吸熱面となり、ヒートシンク１１８ｅ側が放熱面となる。仮に直流電流の極性を逆転させれば（Ｎ型半導体１１８ｂからＰ型半導体１１８ａに電流を印加すれば）、ヒートシンク１１８ｅ側が吸熱面となり、ヒートシンク１１８ｄ側が放熱面となる。印加電流の大きさ等は、制御部１２４によって制御される。制御部１２４は、マイクロコントローラ(MCU:microcontroller)などの集積回路で構成することができる。
【００２６】
再び図１を参照する。本実施形態では、複数のペルチェ素子１１８〜１２２の上記吸熱面が近接部１１６（再生流路）の上流側に接続され、上記放熱面が近接部１１６（再生流路）の下流側に接続される。換言すれば、上記制御部１２４は、近接部１１６上流側の面が吸熱面となり、近接部１１６下流側の面が放熱面となるように電流を印加する。
【００２７】
再生流路１０６の入口１０６ａより流入した空気は、近接部１１６上流側の複数のペルチェ素子１１８〜１２２の吸熱面によって段階的に冷却される。これにより、この空気中に含まれる水分が結露する。冷却され水分が低減した空気は、折り返し部１１４を折り返して、近接部１１６下流側の複数のペルチェ素子１１８〜１２２の放熱面で段階的に加熱される。すると、冷却時の冷熱は結露のための潜熱（凝縮熱）に奪われる（換言すれば、潜熱が放出される）のに対し、加熱時の温熱は全て顕熱に変わるため、再生流路１０６の出口１０６ｂの温度は、入口１０６ａの温度よりも飛躍的に高くなる。
【００２８】
さらに、放熱面には、ペルチェ効果によって吸熱面から移動した熱に加え、電流消費によるジュール熱が加わる。これより、ヒータを用いずとも、複数のペルチェ素子１１８〜１２２によって６０℃以上の高温乾燥空気を生成することができる。上記のようにデシカント剤１０２ａは低温再生除湿材であり、概して、６０℃前後の温度で再生させることができるため、再生に充分な高温乾燥空気をデシカント剤保持部１０２ｂに供給することができる。
【００２９】
なお、本実施形態では、折り返し部１１４に空気の流量を計測する流量計１２８が備えられる。そして、再生流路１０６側のファン１１２を、この流量計１２８の計測値に基づき風量制御（ＶＡＶ：Variable Air Volume）する。これにより、再生流路１０６の出口１０６ｂからデシカント剤１０２ａに供給する高温乾燥空気の温度を調節して所定範囲内に収めることができ、再生に最適な温度域を超えてしまうことを防止できるため、デシカント剤１０２ａの変質を回避することができる。
【００３０】
なお、複数のペルチェ素子１１８〜１２２の吸熱面に吸熱されて凝縮した空気中の水分は、近接部１１６上流側の下方に配置された排水路１２６を通して排水される。ここでは、排水路１２６にはドレンパン１２６ａが備えられ、溜まった水分を外部へと排水する構成としている。
【００３１】
図３は、ペルチェ素子１１８〜１２２の吸熱面と放熱面の温度差ΔＴ、ペルチェ素子１１８〜１２２に印加された電流Ｉ、およびペルチェ素子１１８〜１２２の冷却側の成績係数φ、並びにペルチェ素子１１８〜１２２の冷却の吸熱量Ｑｃの関係を示す図である。図３（ａ）では吸熱面と放熱面の温度差ΔＴと、印加電流Ｉと、冷却側の成績係数φの関係を示しており、図３（ｂ）では吸熱面と放熱面の温度差ΔＴと、印加電流Ｉと、冷却の吸熱量Ｑｃの関係を示している。なお、ここでは、放熱面の温度Ｔｈは５０℃とし、流体（空気）の流量は一定とする。
【００３２】
図３（ａ）に示すように、ペルチェ素子１１８〜１２２は、上記温度差ΔＴが大きくなるほど、極端に冷却の成績係数φが低下する特性を有する。また、同様に、ペルチェ素子１１８〜１２２は、素子を流れる電流Ｉが大きくなるほど冷却の成績係数φが低下する特性を有する。これは、図３（ｂ）に示すように、電流Ｉが大きくなるにしたがって、冷却の吸熱量Ｑｃの伸び（増大量）が低下するためである。
【００３３】
図４は、ペルチェ素子１１８〜１２２の吸熱面と放熱面の温度差ΔＴ、ペルチェ素子１１８〜１２２に印加された電流Ｉ、およびペルチェ素子１１８〜１２２の加熱側の成績係数φＨの関係を示す図である。図４に示すように、ペルチェ素子１１８〜１２２の放熱面には上述したジュール熱が加わるので、加熱側のペルチェ素子１１８〜１２２の成績係数φＨはこのジュール熱の寄与を加える必要がある。発生するジュール熱は投入した電力量と等価と考えることができる。故に、加熱側の成績係数φＨは、上記冷却側の成績係数φにジュール熱の寄与分である１を足したものとなる。すなわち、冷却側の成績係数φはペルチェ効果に基づく成績係数であって、加熱側の成績係数φＨはペルチェ効果にジュール熱の寄与を加えた成績係数である。
【００３４】
デシカント空調機１００では、上記特性に基づき、複数のペルチェ素子１１８〜１２２を空気の流れ方向に沿って配列している。複数個所で順次、段階的に空気を冷却（または加熱）可能となり、個々のペルチェ素子１１８〜１２２にかかる負担を低減できるためである。すなわち、各ペルチェ素子１１８〜１２２の吸熱面と放熱面の温度差ΔＴを抑制可能であり、各ペルチェ素子１１８〜１２２を高い成績係数φＨ（φ）の範囲内で稼動させることができるので、デシカント空調機１００全体としての成績係数φＨ（φ）の向上が可能となる。
【００３５】
図５は、デシカント空調機１００の空気線図を例示する図である。また、図６は、複数のペルチェ素子１１８〜１２２の温度状態を例示する図である。以下、図５、図６を参照しながら、デシカント空調機１００の再生流路１０６を通過させることにより、乾球温度２５℃、相対湿度６５％の標準状態の空気を高温乾燥空気にし、デシカント剤１０２ａを再生させる場合について説明する。
【００３６】
再生流路１０６の入口１０６ａより流入する上記標準状態の空気は、図５の空気線図上において点Ｃ１で表される。この標準状態の空気は、複数のペルチェ素子１１８〜１２２の吸熱面によって段階的に冷却される。ここでは、乾球温度１０℃程度まで冷却される。
【００３７】
この過程は、図５の空気線図上において点Ｃ１→点Ｃ２→点Ｃ３で表される。点Ｃ２にて、相対湿度が限界である９５％付近に達し、点Ｃ２→点Ｃ３の過程で空気中に含まれる水分が結露する。図５中、ペルチェ素子１１８によって冷却される範囲を冷却範囲１１８ｆ、ペルチェ素子１２０によって冷却される範囲を冷却範囲１２０ｆ、ペルチェ素子１２２によって冷却される範囲を冷却範囲１２２ｆとして図示している。このとき、図６に例示するように、各ペルチェ素子１１８〜１２２の吸熱面側の温度は、それぞれ１８℃、１４℃、１０℃となっている。
【００３８】
冷却され水分が低減した空気は、折り返し部１１４を折り返して、近接部１１６下流側の複数のペルチェ素子１１８〜１２２の放熱面で加熱される。ここでは、乾球温度６０℃程度まで加熱される。このときの相対湿度は５．７％程度となる。この過程は、図５の空気線図上において点Ｃ３→点Ｈ２で表される。
【００３９】
点Ｃ３→点Ｈ２の加熱は、ペルチェ効果によるものと、ジュール熱によるものが合成されたものである。実際には個々のペルチェ素子１１８〜１２２で両方の熱が加えられるが、点Ｃ１と等エンタルピ線上にある点Ｈ１までの加熱をペルチェ効果による分、点Ｈ１から点Ｈ２までの加熱をジュール熱による分とみなすことができる。これは、ペルチェ効果による加熱は、吸熱面から移動した熱によって行われるためである。
【００４０】
このとき図６に例示するように、ペルチェ素子１１８〜１２２の放熱面側の温度は、それぞれ２６．５℃、４３℃、６０℃となっている。すると、ペルチェ素子１１８〜１２２の吸熱面と放熱面との温度差ΔＴは、それぞれ１６．５℃、２９℃、４２℃となる。この温度差ΔＴについて図４を参照すると、温度差ΔＴが４２℃のときは、成績係数φＨは最大でも１．３程度であるが、２９℃の時は最大で２．５程度、１６．５℃のときは最大で３近くにもなる。全体的な成績係数φＨは、電流が同じであると仮定すれば成績係数φＨを加算して個数で割ればよいから、単純計算で最大２．２程度の成績係数φＨが得られることがわかる。
【００４１】
単一のペルチェ素子を用いた場合と上記構成を比較すると、１つめのペルチェ素子１１８において温度差ΔＴが同じだったとしても、２つめ以降のペルチェ素子１２０、１２２では温度差ΔＴが小さくなり成績係数φＨが飛躍的に向上するので、全体的な成績係数φＨを向上させることができる。特に２つめ以降のペルチェ素子１２０、１２２にて、単一のペルチェ素子を用いた場合よりも冷却（加熱）することができるため、より乾燥した空気を生成することができる。
【００４２】
また、単一のペルチェ素子を用いた場合と上記構成を比較すると、個々のペルチェ素子１１８〜１２２が移動させる熱の負担を軽減することができるので、電流も抑えることができ、エネルギ効率の高い領域に収めることができる。これにより、除湿できるほどに冷却（または加熱）可能な高負荷をかける場合でも、成績係数φＨの低下を抑制することができる。
【００４３】
複数のペルチェ素子１１８〜１２２にて生成した高温乾燥空気は、再生流路１０６の出口１０６ｂからデシカントロータ１０２に供給される。これにより、デシカントロータ１０２が加熱され、その湿分が吸湿される。
【００４４】
上記の乾球温度６０℃、相対湿度５．７％の高温乾燥空気に等エンタルピで水蒸気を飽和まで吸湿（蒸発）させた場合、その乾球温度は約２６℃となる。この過程は、図５の空気線図上において点Ｈ２→点Ｒ１で表される。すると、デシカント剤１０２ａの再生に利用した排気は、当初の標準状態の空気の乾球温度２５℃に極めて近くなる。すなわち、再生流路１０６の入口１０６ａと出口１０６ｂで比較すると、温度はほぼ変わらず、湿度を加えて排気する状態となる。故に、排気に無駄にエネルギ（顕熱）を持ち逃げされず、デシカント剤１０２ａの再生に際してのエネルギを最小限に抑えることができる。
【００４５】
なお、乾球温度２５℃、相対湿度６５％の標準状態の空気をヒータで加熱して上記の相対湿度５．７％を実現しようとすれば、概して７０℃程度まで加熱しなければならない（点Ｃ１に等しい絶対湿度で相対湿度が約５．７％になる位置は７０℃程度である。）。換言すれば、一度冷却して水分を低減した後に加熱する本実施形態の構成は、ヒータ加熱の７０℃に相当するデシカント再生能力を有する。このように、より低い温度で同一のデシカント再生能力を発揮できることから、加熱エネルギや排気に持ち逃げされるエネルギが少なくなり、エネルギを有効に利用することができる。
【００４６】
以上、上述したデシカント空調機１００によれば、ヒートポンプより占有面積が少ないペルチェ素子１１８〜１２２を、ヒータよりエネルギ効率がよい領域で動作させて、デシカント剤１０２ａを再生させるのに充分な高温乾燥空気を生成することができる。
【００４７】
なお、本実施形態では空気の流れ方向にのみ複数のペルチェ素子１１８〜１２２を配列する場合について説明したが、さらに空気の流れ方向と交わる方向（流路幅方向）にもペルチェ素子を複数配列して、充分な流量を確保できるように構成してもよい。また、当然ながらデシカントロータ１０２ではなく、バッチ式の再生に対しても本発明を適用可能である。
【００４８】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４９】
本発明は、ペルチェ素子を用いてデシカント剤を再生するデシカント空調機に利用することができる。
【符号の説明】
【００５０】
１００…デシカント空調機、１０２…デシカントロータ、１０２ａ…デシカント剤、１０２ｂ…デシカント剤保持部、１０４…吸湿流路、１０６…再生流路、１０６ａ…入口、１０６ｂ…出口、１０８…隔壁、１１０、１１２…ファン、１１４…折り返し部、１１６…近接部、１１８、１２０、１２２…ペルチェ素子、１１８ａ…Ｐ型半導体、１１８ｂ…Ｎ型半導体、１１８ｃ…セラミック、１１８ｄ、１１８ｅ…ヒートシンク、１１８ｆ、１２０ｆ、１２２ｆ…冷却範囲、１２４…制御部、１２６…排水路、１２８…流量計、Ｒ…周方向
【図１】
2012172931.tif 000003
【図２】
2012172931.tif 000004
【図３】
2012172931.tif 000005
【図４】
2012172931.tif 000006
【図５】
2012172931.tif 000007
【図６】
2012172931.tif 000008